(57)【要約】【課題】ロアグリップ部又はアッパグリップ部のいずれか一方が損傷又は汚損した場合、その損傷等した部品を交換すれば済み、修理費用を低減でき、グリップのデザインのバリエーションを増やすことができる。【解決手段】グリップ１２は、上下に二分割され、シャフト１１の上端部に連結具１６を介して取外し可能に取付けられるロアグリップ部１７と、ロアグリップ部の上面に取外し可能に取付けられるアッパグリップ部１８とを有する。連結具は、シャフトの上端部に固着されシャフトの太さに相応した軸径を有するロア軸部１６ａと、このロア軸部と一体的にその上面から上方に延びて設けられたアッパ軸部１６ｂとを有する。ロアグリップ部に筒穴１７ｅが形成される。ロアグリップ部は、筒穴をアッパ軸部に嵌入した状態で、第１ビス２１によりアッパ軸部に取付けられる。【選択図】図１
2020195572.tif 000002
【特許請求の範囲】
【請求項１】
シャフトと、このシャフトの上端部に取外し可能に取付けられ使用者が把持するグリップと、前記シャフトの下端部に嵌着され地面又は床面に接触可能な石突きとを備えた杖において、
前記グリップが、上下に二分割され、前記シャフトの上端部に連結具を介して取外し可能に取付けられるロアグリップ部と、このロアグリップ部の上面に取外し可能に取付けられるアッパグリップ部とを有し、
前記連結具が、前記シャフトの上端部に固着され前記シャフトの太さに相応した軸径を有するロア軸部と、このロア軸部と一体的にその上面から上方に延びて設けられたアッパ軸部とを有し、
前記ロアグリップ部に前記連結具の前記アッパ軸部に嵌入可能な筒穴が形成され、
前記ロアグリップ部が、前記筒穴を前記アッパ軸部に嵌入した状態で、第１ビスにより前記アッパ軸部に取付けられる
ことを特徴とする杖。
【請求項２】
前記アッパ軸部の上面から下方にかつその内部に延びる第１ねじ孔が形成され、
前記ロアグリップ部の筒穴の奥壁に前記第１ビスを挿通可能な第１ビス用通孔が形成され、
前記ロアグリップ部が、前記筒穴を前記アッパ軸部に嵌入した状態で、前記第１ビスを前記第１ビス用通孔に上方から挿通して前記第１ねじ孔に螺合することにより、前記アッパ軸部に取付けられる請求項１記載の杖。
【請求項３】
前記アッパグリップ部の下面から上方にかつその内部に延びる第２ねじ孔が形成され、
前記ロアグリップ部にその下面から上方に延び前記第２ビスを挿通可能な第２ビス用通孔が形成され、
前記アッパグリップ部が、このアッパグリップ部を前記ロアグリップ部の上面に載せた状態で、前記第２ビスを前記第２ビス用通孔に下方から挿通して前記第２ねじ孔に螺合することにより、前記ロアグリップ部に取付けられる請求項１又は２記載の杖。
【請求項４】
前記アッパグリップ部の内部に第２ビスの頭部が埋設され前記アッパグリップ部の下面から前記第２ビスの雄ねじ部が突設され、
前記ロアグリップ部にその上面から下方に延び前記第２ビスの雄ねじ部を挿通可能な第２ビス用通孔が形成され、
前記アッパグリップ部が、このアッパグリップ部を前記ロアグリップ部の上面に載せるときに、前記第２ビスを前記第２ビス用通孔に上方から挿通し、前記第２ビス用通孔から突出した前記第２ビスの雄ねじ部にナットを螺合することにより、前記ロアグリップ部に取付けられる請求項１又は２記載の杖。
【請求項５】
前記アッパグリップ部の下面から下方に係止爪が突設され、
前記ロアグリップ部に前記係止爪が係止可能な被係止孔が形成され、
前記アッパグリップ部が、このアッパグリップ部を前記ロアグリップ部の上面に載せて、前記係止爪を前記被係止孔に係止することにより、前記ロアグリップ部に取付けられる請求項１又は２記載の杖。
【請求項６】
前記ロアグリップ部がプラスチックにより形成され、前記ロアグリップ部と前記アッパグリップ部との間に前記グリップの長手方向に延びかつ前記第１ビス用通孔に連通する第１ビス用透孔が形成された金属製の補強板が介装され、前記ロアグリップ部が、前記第１ビスを前記第１ビス用透孔及び第１ビス用通孔に通して前記第１ねじ孔に螺合することにより、前記補強板とともに前記連結具に取付けられる請求項２記載の杖。
【請求項７】
前記アッパ軸部の軸径が互いに同一でありかつ前記ロア軸部の軸径が互いに異なる複数種類の連結具が用意され、これらの連結具のうち前記シャフトに固着可能な連結具が選択される請求項１記載の杖。
【請求項８】
前記アッパグリップ部が、前記ロアグリップ部に取付けられる硬質プラスチック製の基部と、この基部の上面を被覆するエラストマー製の表層部とからなる請求項１ないし５いずれか１項に記載の杖。
【請求項９】
前記ロアグリップ部の第２ビス用通孔に挿通される第２ビスの頭部が前記ロアグリップ部に形成された第２ビス用座ぐり穴に没入され、この第２ビス用座ぐり穴にゴム栓が圧入された請求項３記載の杖。
【請求項１０】
前記第２ビスの雄ねじ部に螺合される前記ナットが、前記ロアグリップ部に形成されたナット用座ぐり穴に没入され、このナット用座ぐり穴にゴム栓が圧入された請求項４記載の杖。
【請求項１１】
前記ロアグリップ部の被係止孔に挿通される前記係止爪が前記ロアグリップ部に形成された係止爪用座ぐり穴に収容され、この係止爪用座ぐり穴にゴム栓が圧入された請求項５記載の杖。
【請求項１２】
前記第２ビス用座ぐり穴が粘着シートにより封止された請求項９記載の杖。
【請求項１３】
前記ナット用座ぐり穴が粘着シートにより封止された請求項１０記載の杖。
【請求項１４】
前記係止爪用座ぐり穴が粘着シートにより封止された請求項１１記載の杖。
【請求項１５】
前記連結具のアッパ軸部の少なくとも一部に横断面が小判形状又は多角形状である軸側回り止め部が形成され、前記ロアグリップ部の筒穴の少なくとも一部に前記軸側回り止め部に相応する形状の穴側回り止め部が形成され、前記穴側回り止め部が前記軸側回り止め部に嵌入可能に構成された請求項１又は２記載の杖。
【発明の詳細な説明】
【技術分野】
【０００１】
本発明は、使用者の把持するグリップがシャフトの上端部に取外し可能に取付けられる杖に関するものである。
【背景技術】
【０００２】
従来、グリップがシャフトの上部に対し着脱自在に取付けられるグリップ取替ステッキが開示されている（例えば、特許文献１（請求項１、段落［００１３］、［００１７］、図１及び図３〜図５）参照。）。このグリップ取替ステッキでは、グリップが、シャフト側に向けてシャフトの一端を挿入可能な内径を有し外周に鍔部が形成され下端に切欠部が形成されたパイプ部と、パイプ部の外周に遊嵌され上端に鍔部と係止可能な係止部が形成され内周に雌ねじ部が形成されたリングとを備える。また、シャフトは、パイプ部に挿入可能な外径を有し外周に切欠部と係合可能な凸部が形成された挿入部と、挿入部より下方の外周に形成され雌ねじ部と螺合可能な雄ねじ部とを有する。また、パイプ部の切欠部を、パイプ部に挿入された挿入部の凸部と係合させることにより、シャフトに対するグリップの回転方向の動きが規制され、リングの雌ねじ部を、パイプ部に挿入されたシャフトの雄ねじ部と螺合させることにより、シャフトに対するグリップの上下方向の動きが規制される。更に、挿入部には、一部が外周面から突出するように内側から外側へ付勢されたクリックボールが設けられ、パイプ部には、クリックボールと係合可能な凹部が形成される。これにより、パイプ部の切欠部を、パイプ部に挿入された挿入部の凸部と係合させたときに、クリックボールが凹部と係合するように構成される。
【０００３】
このように構成されたグリップ取替ステッキでは、グリップをシャフトに対して常に一定の向きで取付けることができ、また使用時にグリップやシャフトが勝手に回転してグリップとシャフトの螺合が緩んでしまうようなことがなく、更にグリップとシャフトの着脱を簡単に行うことができる。
【先行技術文献】
【特許文献】
【０００４】
【特許文献１】特許第５７１６９４０号公報
【発明の概要】
【発明が解決しようとする課題】
【０００５】
しかし、上記従来の特許文献１に示されたグリップ取替ステッキでは、グリップのうち使用者が把持する部分（以下、グリップ本体という）が単一部品により構成されかつパイプ部と一体的に形成され、更にリングがパイプ部から抜けない構造であるため、グリップ本体の一部が損傷又は汚損した場合、グリップ本体、パイプ部及びリングを交換しなければならず、修理費用が嵩むとともに、グリップ本体のデザインが限定される不具合があった。また、上記従来の特許文献１に示されたグリップ取替ステッキでは、グリップ本体が単一部品により構成されているため、グリップ本体のうち使用者の掌に触れる部分だけ柔らかくて滑り難い材料で作製することができず、使用者による杖の使い勝手が未だ悪く、またグリップ本体を全て柔らかくて滑り難い材料で作製すると、グリップ本体の強度が低下してしまう問題点もあった。また、上記従来の特許文献１に示されたグリップ取替ステッキでは、シャフトの雄ねじ部に螺合しているリングの雌ねじ部を緩めて、リングをシャフトから外すことにより、杖修理の専門家ではないステッキの使用者でもグリップを容易に交換することができるため、適切な交換作業が行われずに、グリップ交換後のステッキが所定の強度等を満たさなくなるおそれがあった。更に、上記従来の特許文献１に示されたグリップ取替ステッキでは、パイプ部の切欠部を挿入部の凸部に係合させ、かつクリックボールを凹部に係合させることにより、グリップがシャフトに対して常に一定の向きで取付けられる構造であり、切欠部と凸部の接触面積が小さく、クリックボールと凹部の接触面積が小さいため、切欠部及び凸部間の隙間や、クリックボール及び凹部間の隙間が増大し易く、グリップのシャフトに対するガタツキが発生するおそれがあった。
【０００６】
本発明の第１の目的は、ロアグリップ部又はアッパグリップ部のいずれか一方が損傷又は汚損した場合、その損傷等した部品を交換すれば済み、修理費用を低減でき、グリップのデザインのバリエーションを増やすことができる、杖を提供することにある。本発明の第２の目的は、グリップのうち使用者の掌に触れる部分だけ柔らかくて滑り難い材料で作製することができ、グリップの強度を低下させずに、使い勝手を向上することができる、杖を提供することにある。本発明の第３の目的は、杖修理の専門家でない杖の使用者によるグリップの交換を困難にすることにより、グリップ交換後の杖が常に所定の強度等を満たすことができる、杖を提供することにある。本発明の第４の目的は、グリップのシャフトに対するガタツキを抑制できる、杖を提供することにある。
【課題を解決するための手段】
【０００７】
本発明の第１の観点は、図１、図２、図４及び図１１に示すように、シャフト１１，１４と、このシャフト１１，１４の上端部に取外し可能に取付けられ使用者が把持するグリップ１２と、シャフト１１，１４の下端部に嵌着され地面又は床面に接触可能な石突き１３とを備えた杖において、グリップ１２が、上下に二分割され、シャフト１１，１４の上端部に連結具１６，１９を介して取外し可能に取付けられるロアグリップ部１７と、このロアグリップ部１７の上面に取外し可能に取付けられるアッパグリップ部１８とを有し、連結具１６，１９が、シャフト１１，１４の上端部に固着されシャフト１１，１４の太さに相応した軸径を有するロア軸部１６ａ，１９ａと、このロア軸部１６ａ，１９ａと一体的にその上面から上方に延びて設けられたアッパ軸部１６ｂ，１９ｂとを有し、ロアグリップ部１７に連結具１６，１９のアッパ軸部１６ｂ，１９ｂに嵌入可能な筒穴１７ｅが形成され、ロアグリップ部１７が、筒穴１７ｅをアッパ軸部１６ｂ，１９ｂに嵌入した状態で、第１ビス２１によりアッパ軸部１６ｂ，１９ｂに取付けられ、アッパグリップ部１８が、このアッパグリップ部１８をロアグリップ部１７の上面に載せた状態で、第２ビス２２によりロアグリップ部１７に取付けられることを特徴とする。
【０００８】
本発明の第２の観点は、第１の観点に基づく発明であって、更に図１、図２及び図４に示すように、アッパ軸部１６ｂ，１９ｂの上面から下方にかつその内部に延びる第１ねじ孔１６ｃ，１９ｃが形成され、ロアグリップ部１７の筒穴１７ｅの奥壁に第１ビス２１を挿通可能な第１ビス用通孔１７ｆが形成され、ロアグリップ部１７が、筒穴１７ｅをアッパ軸部１６ｂ，１９ｂに嵌入した状態で、第１ビス２１を第１ビス用通孔１７ｆに上方から挿通して第１ねじ孔１６ｃ，１９ｃに螺合することにより、アッパ軸部１６ｂ，１９ｂに取付けられることを特徴とする。
【０００９】
本発明の第３の観点は、第１又は第２の観点に基づく発明であって、更に図１、図２及び図４に示すように、アッパグリップ部１８の下面から上方にかつその内部に延びる第２ねじ孔１８ｅが形成され、ロアグリップ部１７にその下面から上方に延び第２ビス２２を挿通可能な第２ビス用通孔１７ｇが形成され、アッパグリップ部１８が、このアッパグリップ部１８をロアグリップ部１７の上面に載せた状態で、第２ビス２２を第２ビス用通孔１７ｇに下方から挿通して第２ねじ孔１８ｅに螺合することにより、ロアグリップ部１７に取付けられることを特徴とする。
【００１０】
本発明の第４の観点は、第１又は第２の観点に基づく発明であって、更に図１３及び図１４に示すように、アッパグリップ部４８の内部に第２ビス５２の頭部５２ａが埋設されアッパグリップ部４８の下面から第２ビス５２の雄ねじ部５２ｂが突設され、ロアグリップ部４７にその上面から下方に延び第２ビス５２の雄ねじ部５２ｂを挿通可能な第２ビス用通孔４７ｇが形成され、アッパグリップ部４８が、このアッパグリップ部４８をロアグリップ部４７の上面に載せた状態で、第２ビス５２を第２ビス用通孔４７ｇに上方から挿通して第２ビス用通孔４７ｇから突出した第２ビス５２の雄ねじ部５２ｂにナット５５を螺合することにより、ロアグリップ部４７に取付けられることを特徴とする。
【００１１】
本発明オン第５の観点は、第１又は第２の観点に基づく発明であって、更に図１５及び図１６に示すように、アッパグリップ部７８の下面から下方に係止爪７８ｅが突設され、ロアグリップ部７７に係止爪７８ｅが係止可能な被係止孔７７ｇが形成され、アッパグリップ部７８が、このアッパグリップ部７８をロアグリップ部７７の上面に載せた状態で、係止爪７８ｅを被係止孔７７ｇに係止することにより、ロアグリップ部７７に取付けられることを特徴とする。
【００１２】
本発明の第６の観点は、第２の観点に基づく発明であって、更に図１及び図２に示すように、ロアグリップ部１７がプラスチックにより形成され、ロアグリップ部１７とアッパグリップ部１８との間にグリップ１２の長手方向に延びかつ第１ビス用通孔１７ｆに連通する第１ビス用透孔２４ａが形成された金属製の補強板２４が介装され、ロアグリップ部１７が、第１ビス２１を第１ビス用透孔２４ａ及び第１ビス用通孔１７ｆに通して第１ねじ孔１６ｃ，１９ｃに螺合することにより、補強板２４とともに連結具１６，１９に取付けられることを特徴とする。
【００１３】
本発明の第７の観点は、第１の観点に基づく発明であって、更に図２に示すように、アッパ軸部１６ｂ，１９ｂの軸径が互いに同一でありかつロア軸部１６ａ，１９ａの軸径が互いに異なる複数種類の連結具１６，１９が用意され、これらの連結具１６，１９のうちシャフト１１，１４に固着可能な連結具１６，１９が選択されることを特徴とする。
【００１４】
本発明の第８の観点は、第１ないし第５の観点のいずれかに基づく発明であって、更に図１及び図４に示すように、アッパグリップ部１８が、ロアグリップ部１７に取付けられる硬質プラスチック製の基部１８ａと、この基部１８ａの上面を被覆するエラストマー製の表層部１８ｂとからなることを特徴とする。
【００１５】
本発明の第９の観点は、第３の観点に基づく発明であって、更に図１及び図４に示すように、ロアグリップ部１７の第２ビス用通孔１７ｇに挿通される第２ビス２２の頭部２２ａがロアグリップ部１７に形成された第２ビス用座ぐり穴１７ｈに没入され、この第２ビス用座ぐり穴１７ｈにゴム栓２３が圧入されたことを特徴とする。
【００１６】
本発明の第１０の観点は、第４の観点に基づく発明であって、更に図１３及び図１４に示すように、第２ビス５２の雄ねじ部５２ｂに螺合されるナット５５が、ロアグリップ部４７に形成されたナット用座ぐり穴４７ｈに没入され、このナット用座ぐり穴４７ｈにゴム栓５３が圧入されたことを特徴とする。
【００１７】
本発明の第１１の観点は、第５の観点に基づく発明であって、更に図１５及び図１６に示すように、ロアグリップ部７７の被係止孔７７ｇに挿通される係止爪７８ｅがロアグリップ部７７に形成された係止爪用座ぐり穴７７ｈに収容され、この係止爪用座ぐり穴７７ｈにゴム栓８３が圧入されたことを特徴とする。
【００１８】
本発明の第１２の観点は、第９の観点に基づく発明であって、更に第２ビス用座ぐり穴又はナット用座ぐり穴が粘着シートにより封止されたことを特徴とする。
【００１９】
本発明の第１３の観点は、第１０の観点に基づく発明であって、更にナット用座ぐり穴が粘着シートにより封止されたことを特徴とする。
【００２０】
本発明の第１４の観点は、第１１の観点に基づく発明であって、更に係止爪用座ぐり穴が粘着シートにより封止されたことを特徴とする。
【００２１】
本発明の第１５の観点は、第１又は第２の観点に基づく発明であって、更に図２、図７及び図１０に示すように、連結具１６，１９のアッパ軸部１６ｂ，１９ｂの少なくとも一部に横断面が小判形状又は多角形状である軸側回り止め部１６ｄ，１９ｄが形成され、ロアグリップ部１７の筒穴１７ｅの少なくとも一部に軸側回り止め部１６ｄ，１９ｄに相応する形状の穴側回り止め部１７ｍが形成され、穴側回り止め部１７ｍが軸側回り止め部１６ｄ，１９ｄに嵌入可能に構成されたことを特徴とする。
【発明の効果】
【００２２】
本発明の第１の観点の杖では、ロアグリップ部の筒穴を連結具のアッパ軸部に嵌入した状態で、ロアグリップ部を第１ビスによりアッパ軸部に取付け、アッパグリップ部をロアグリップ部の上面に載せた状態で、アッパグリップ部をロアグリップ部に取外し可能に取付けたので、ロアグリップ部又はアッパグリップ部のいずれか一方が損傷又は汚損しても、損傷等した部品だけを交換すれば済む。この結果、修理費用を低減できる。また、ロアグリップ部とアッパグリップ部の色を変えることにより、グリップのデザインのバリエーションを増やすことができる。
【００２３】
本発明の第２の観点の杖では、ロアグリップ部の筒穴を連結具のアッパ軸部に嵌入した状態で、第１ビスを第１ビス用通孔に上方から挿通して第１ねじ孔に螺合することにより、ロアグリップ部をアッパ軸部に取付けたので、ロアグリップ部をシャフトに強固に取付けることができる。また、ロアグリップ部が損傷又は汚損した場合、このロアグリップ部だけを交換すれば済むので、修理費用を低減できる。
【００２４】
本発明の第３の観点の杖では、アッパグリップ部をロアグリップ部の上面に載せた状態で、第２ビスを第２ビス用通孔に下方から挿通して第２ねじ孔に螺合することにより、アッパグリップ部をロアグリップ部に取付けたので、第１ビスの頭部がロアグリップ部及びアッパグリップ部間に位置して外部から視認できず、第２ビスの頭部がロアグリップ部の下面に位置して外部から視認し難い。この結果、グリップの見栄えを殆ど損なわない。また、上記と同様に、ロアグリップ部又はアッパグリップ部のいずれか一方が損傷又は汚損しても、損傷等した部品だけを交換すれば済むので、修理費用を低減できるとともに、ロアグリップ部とアッパグリップ部の色を変えることにより、グリップのデザインのバリエーションを増やすことができる。
【００２５】
本発明の第４の観点では、アッパグリップ部をロアグリップ部の上面に載せるときに、第２ビスを第２ビス用通孔に上方から挿通し、第２ビス用通孔から突出した第２ビスの雄ねじ部にナットを螺合することにより、アッパグリップ部をロアグリップ部に取付けたので、第１ビスの頭部がロアグリップ部及びアッパグリップ部間に位置して外部から視認できず、ナットがロアグリップ部の下面に位置して外部から視認し難い。この結果、グリップの見栄えを殆ど損なわない。また、上記と同様に、ロアグリップ部又はアッパグリップ部のいずれか一方が損傷又は汚損しても、損傷等した部品だけを交換すれば済むので、修理費用を低減できるとともに、ロアグリップ部とアッパグリップ部の色を変えることにより、グリップのデザインのバリエーションを増やすことができる。
【００２６】
本発明オン第５の観点は、第１又は第２の観点に基づく発明であって、更に図１５及び図１６に示すように、アッパグリップ部をロアグリップ部の上面に載せて、係止爪を被係止孔に係止することにより、アッパグリップ部をロアグリップ部に取付けたので、第１ビスの頭部がロアグリップ部及びアッパグリップ部間に位置して外部から視認できず、係止爪がロアグリップ部の下面に位置して外部から視認し難い。この結果、グリップの見栄えを殆ど損なわない。また、上記と同様に、ロアグリップ部又はアッパグリップ部のいずれか一方が損傷又は汚損しても、損傷等した部品だけを交換すれば済むので、修理費用を低減できるとともに、ロアグリップ部とアッパグリップ部の色を変えることにより、グリップのデザインのバリエーションを増やすことができる。
【００２７】
本発明の第６の観点の杖では、ロアグリップ部をプラスチックにより形成し、ロアグリップ部とアッパグリップ部との間にグリップの長手方向に延びかつ第１ビス用通孔に連通する第１ビス用透孔が形成された金属製の補強板を介装し、第１ビスを第１ビス用透孔及び第１ビス用通孔に通して第１ねじ孔に螺合することにより、ロアグリップ部を補強板とともに連結具に取付けたので、ロアグリップ部をプラスチックにより形成しても、グリップに必要な所定の強度を確保できる。
【００２８】
本発明の第７の観点の杖では、アッパ軸部の軸径が互いに同一でありかつロア軸部の軸径が互いに異なる複数種類の連結具を用意し、これらの連結具のうちシャフトに固着可能な連結具を選択するので、同一形状のグリップを太さの異なるシャフトに取付けることができる。この結果、シャフトとグリップの組合せの自由度が増すので、デザインのバリエーションが広がる。
【００２９】
本発明の第８の観点の杖では、アッパグリップ部が、ロアグリップ部に取付けられる硬質プラスチック製の基部と、この基部の上面を被覆するエラストマー製の表層部とからなるので、グリップのうち使用者の掌に触れる部分だけ柔らかくて滑り難い材料で作製することができる。この結果、グリップの強度を低下させずに、使用者による杖の使い勝手を向上することができる。
【００３０】
本発明の第９の観点の杖では、ロアグリップ部の第２ビス用通孔に挿通される第２ビスの頭部をロアグリップ部の第２ビス用座ぐり穴に没入し、この第２ビス用座ぐり穴にゴム栓を圧入するので、杖修理の専門家でない杖の使用者によるグリップの交換が困難になる。この結果、杖修理の専門家がグリップを交換するので、グリップ交換後の杖が常に所定の強度等を満たすことができる。また、第２ビスの頭部が外部から視認できなくなるので、グリップの見栄えを向上できる。
【００３１】
本発明の第１０の観点では、第２ビスの雄ねじ部に螺合されるナットを、ロアグリップ部に形成されたナット用座ぐり穴に没入し、このナット用座ぐり穴にゴム栓を圧入したので、上記と同様に、杖修理の専門家でない杖の使用者によるグリップの交換が困難になる。この結果、杖修理の専門家がグリップを交換するので、グリップ交換後の杖が常に所定の強度等を満たすことができる。また、ナットが外部から視認できなくなるので、グリップの見栄えを向上できる。
【００３２】
本発明の第１１の観点では、ロアグリップ部の被係止孔に挿通される係止爪を、ロアグリップ部に形成された係止爪用座ぐり穴に収容し、この係止爪用座ぐり穴にゴム栓を圧入したので、上記と同様に、杖修理の専門家でない杖の使用者によるグリップの交換が困難になる。この結果、杖修理の専門家がグリップを交換するので、グリップ交換後の杖が常に所定の強度等を満たすことができる。また、係止爪が外部から視認できなくなるので、グリップの見栄えを向上できる。
【００３３】
本発明の第１２ないし第１４の観点の杖では、第２ビス用座ぐり穴、ナット用座ぐり穴又は係止爪用座ぐり穴を粘着シートにより封止するので、杖修理の専門家でない杖の使用者によるグリップの交換が更に困難になる。この結果、上記と同様に、杖修理の専門家がグリップを交換するので、グリップ交換後の杖が常に所定の強度等を満たすことができる。また、第２ビス用座ぐり穴、ナット用座ぐり穴又は係止爪用座ぐり穴が外部から視認できなくなるので、グリップの見栄えを更に向上できる。
【００３４】
本発明の第１５の観点の杖では、連結具のアッパ軸部の少なくとも一部に横断面が小判形状又は多角形状である軸側回り止め部を形成し、ロアグリップ部の筒穴の少なくとも一部に軸側回り止め部に相応する形状の穴側回り止め部を形成し、穴側回り止め部を軸側回り止め部に嵌入可能に構成したので、軸側回り止め部と穴側回り止め部との接触面積が比較的大きい。この結果、グリップのシャフトに対するガタツキを抑制できる。
【図面の簡単な説明】
【００３５】
【図１】本発明第１実施形態の杖を示す図１２のＡ−Ａ線断面図である。
【図２】その杖のロアグリップ部を連結具に取付ける直前の状態を示す図１に対応する断面図である。
【図３】その杖のロアグリップ部を連結具に取付けた直後の状態を示す図１に対応する断面図である。
【図４】その杖のアッパグリップ部をロアグリップ部に取付ける直前の状態を示す図１に対応する断面図である。
【図５】図２のＢ部矢視図である。
【図６】図４のＣ部矢視図である。
【図７】図２のＤ部矢視図である。
【図８】図４のＥ部矢視図である。
【図９】図４のＦ部矢視図である。
【図１０】図１１のＧ−Ｇ線断面図である。
【図１１】図１２のＨ矢視図である。
【図１２】図１１のＩ矢視図である。
【図１３】本発明第２実施形態の杖を示す図４に対応する断面図である。
【図１４】その杖を示す図１に対応する断面図である。
【図１５】本発明第３実施形態の杖を示す図４に対応する断面図である。
【図１６】その杖を示す図１に対応する断面図である。
【発明を実施するための形態】
【００３６】
次に本発明を実施するための形態を図面に基づいて説明する。
【００３７】
＜第１の実施の形態＞
図１１及び図１２に示すように、男性用の杖１０は、太いシャフト１１と、このシャフト１１の上端部に取外し可能に取付けられ使用者が把持する比較的大型のグリップ１２と、シャフト１１の下端部に嵌着され地面又は床面に接触可能な石突き１３とを備える。図２には、男性用の太いシャフト１１と、女性用の細いシャフト１４とが記載されているが、図２以外の図１、図３、図４及び図１０〜図１２に記載されたシャフトは、男性用の太いシャフト１１である。男性用の太いシャフト１１は、中空のアウタパイプ部１１ａと、このアウタパイプ部１１ａに摺動可能に収容される中空のインナパイプ部１１ｂとからなる（図１１及び図１２）。また、アウタパイプ部１１ａは円筒状に形成され、インナパイプ部１１ｂはアウタパイプ部１１ａより僅かに小さい円筒状に形成される。これによりインナパイプ部１１ｂはアウタパイプ部１１ａに摺動可能に収容され、シャフト１１は伸縮可能に構成される。上記アウタパイプ部１１ａ及びインナパイプ部１１ｂは、アルミニウム合金、マグネシウム合金、カーボン、炭素鋼等により形成されることが好ましい。
【００３８】
一方、グリップ１２は、上下に二分割され、シャフト１１の上端部に連結具１６を介して取外し可能に取付けられるロアグリップ部１７と、このロアグリップ部１７の上面に取外し可能に取付けられるアッパグリップ部１８とを有する（図１及び図４）。ロアグリップ部１７は、略Ｔ字状に形成され、略水平方向に延びて設けられ杖１０の使用者が握ったときに親指を除く４本の指が巻き付く水平部１７ａと、この水平部１７ａの前部下面から垂下される垂直部１７ｂとからなる（図１〜図４）。水平部１７ａ及び垂直部１７ｂは、この実施の形態では、ポリプロピレン（ＰＰ）、アクリロニトリル・ブタジエン・スチレン（ＡＢＳ）、ポリウレタン、ポリ塩化ビニル（ＰＶＣ）等の硬質プラスチックにより一体的に形成される。また、水平部１７ａの下面は、その縦断面において緩やかに湾曲して形成され（図１〜図４）、その横断面において下方に突出する円弧状に形成される（図１０）。また、水平部１７ａには、上面が開放されたロア凹部１７ｃが形成され、このロア凹部１７ｃには縦横に延びる複数のロアリブ１７ｄが形成される（図１〜図５）。更に、水平部１７ａの上面は、その長手方向の両端がなだらかに起立して略椀状に形成される。
【００３９】
アッパグリップ部１８は、この実施の形態では、ロアグリップ部１７に取付けられる硬質プラスチック製の基部１８ａと、この基部１８ａの上面を被覆するエラストマー製の表層部１８ｂとからなる（図１、図４、図８及び図９）。基部１８ａを形成する硬質プラスチックとしては、ポリプロピレン（ＰＰ）、アクリロニトリル・ブタジエン・スチレン（ＡＢＳ）、ポリウレタン、ポリ塩化ビニル（ＰＶＣ）等が挙げられ、表層部１８ｂを形成するエラストマーとしては、オレフィン系熱可塑性エラストマー、スチレン系熱可塑性エラストマー、塩化ビニル系熱可塑性エラストマー、ウレタン系熱可塑性エラストマー、ポリエステル系熱可塑性エラストマー、ポリアミド系熱可塑性エラストマー等が挙げられる。また、アッパグリップ部１８の上面は、その縦断面において緩やかに湾曲して形成され（図１及び図４）、その横断面において上方に突出する円弧状に形成される（図１０）。また、アッパグリップ部１８には、下面が開放されたアッパ凹部１８ｃが形成され、このアッパ凹部１８ｃには縦横に延びる複数のアッパリブ１８ｄが形成される（図１、図４及び図８）。更に、アッパグリップ部１８の下面は、ロアグリップ部１７の略椀状の水平部上面に相応する形状に形成され、アッパグリップ部１８をロアグリップ部１７に載せたときに、アッパグリップ部１８が略椀状の水平部１７ａ上面に隙間なく収まって、杖１０の使用者が握り易い略円筒状になる。
【００４０】
一方、連結具１６は、シャフト１１の上端部に固着されシャフト１１の太さに相応した軸径を有するロア軸部１６ａと、このロア軸部１６ａと一体的にその上面から上方に延びて設けられたアッパ軸部１６ｂとを有する（図１〜図４及び図１０）。連結具１６は、アルミニウム合金、マグネシウム合金、炭素鋼等の金属により形成される。また、アッパ軸部１６ｂには、このアッパ軸部１６ｂの上面から下方にかつその内部に延びる第１ねじ孔１６ｃが形成され、この第１ねじ孔１６ｃには、頭部２１ａに十字状穴２１ｂ（図６）が形成された第１ビス２１が螺合可能に構成される。この実施の形態では、男性用の太いシャフト１１と男性用の比較的大型のグリップ１２とを連結する上記連結具１６の他に、女性用の細いシャフト１４と男性用の比較的大型のグリップ１２を連結する連結具１９が用意される（図２）。即ち、この実施の形態では、アッパ軸部１６ｂの軸径が互いに同一でありかつロア軸部１６ａの軸径が互いに異なる２種類の連結具１６，１９が用意される。
【００４１】
具体的には、アッパ軸部１６ｂの軸径が１０ｍｍであり、ロア軸部１６ａの軸径が２０ｍｍである太いシャフト１１用の連結具１６と、アッパ軸部１９ｂの軸径が１０ｍｍであり、ロア軸部１９ａの軸径が１７ｍｍである細いシャフト１４用の連結具１９とが用意される（図２）。そして、２種類の連結具１６，１９のうち男性用の太いシャフト１１又は女性用の細いシャフト１４のいずれか一方に固着可能な連結具１６，１９が選択される。即ち、男性用の太いシャフト１１のアッパパイプ部１１ａの内径を旋盤等により太いシャフト１１用の連結具１６のロア軸部１６ａの長さ分だけ１９ｍｍから２０ｍｍに広げ、太いシャフト１１用の連結具１６のロア軸部１６ａに接着剤を塗布して、このロア軸部１６ａをアッパパイプ部１１ａに挿入することにより、太いシャフト１１に連結具１６が固着される。また、女性用の細いシャフト１４のアッパパイプ部１４ａの内径を旋盤等により細いシャフト１４用の連結具１９のロア軸部１９ａの長さ分だけ１６ｍｍから１７ｍｍに広げ、細いシャフト１４用の連結具１９のロア軸部１９ａに接着剤を塗布して、このロア軸部１９ａをアッパパイプ部１４ａに挿入することにより、細いシャフト１４に連結具１９が固着される。これにより、同一形状のグリップ１２を太さの異なる２種類のシャフト１１，１４のどちらにも取付けることが可能になる。なお、上述のように２種類の連結具１６，１９を用意したのは、市販されている杖１０が、シャフト１１のアッパパイプ部１１ａの外径及び内径が２２ｍｍ及び１９ｍｍと太い男性用の杖１０と、シャフト１４のアッパパイプ部１４ａの外径及び内径が１９ｍｍ及び１６ｍｍと細い女性用の杖の２種類が大部分を占めているからである。また、連結具１６，１９のロア軸部１６ａ，１９ａ及びアッパ軸部１６ｂ，１９ｂの寸法は一例であってこれに限定されるものではない。更に、図１〜図４及び図１０〜図１２中の符号２７は、連結具１６のロア軸部１６ａが固着（挿着）された太いシャフト１１のアッパパイプ部１１ａの上端面を隠して見栄えを良くするために、アッパパイプ部１１ａの上端部に嵌着された太いシャフト１１用のキャップであり、図２中の符号２８は、連結具１９のロア軸部１９ａが固着（挿着）された細いシャフト１４のアッパパイプ部１４ａの上端面を隠して見栄えを良くするために、アッパパイプ部１４ａの上端部に嵌着された細いシャフト１４用のキャップである。
【００４２】
一方、ロアグリップ部１７の垂直部１７ｂには、連結具１６，１９のアッパ軸部１６ｂ，１９ｂに嵌入可能な筒穴１７ｅが形成され、この筒穴１７ｅの奥壁には、第１ビス２１を挿通可能な第１ビス用通孔１７ｆが形成される（図１〜図４及び図１０）。また、アッパグリップ部１８には、このアッパグリップ部１８の下面から上方にかつその内部に延びる第２ねじ孔１８ｅが形成され、この第２ねじ孔１８ｅに第２ビス２２が螺合可能に構成される（図１及び図４）。この第２ビス２２の頭部２２ａには十字状穴２２ｂが形成される。アッパグリップ部１８の基部１８ａの前端下面には第２ねじ孔用ボス１８ｆが下方に突設され、上記第２ねじ孔１８ｅが形成された埋金１８ｇがこの第２ねじ孔用ボス１８ｆに埋設される。更に、ロアグリップ部１７の前部には、その下面から上方に延び第２ビス２２を挿通可能な第２ビス用通孔１７ｇが形成され、ロアグリップ部１７の前部下面には、第２ビス用通孔１７ｇと同心状に第２ビス２２の頭部２２ａが没入可能な第２ビス用座ぐり穴１７ｈが形成される。この第２ビス用座ぐり穴１７ｈにはゴム栓２３が圧入可能に構成される。
【００４３】
一方、ロアグリップ部１７とアッパグリップ部１８との間には、グリップ１２の長手方向に延びる金属製の補強板２４が介装される（図１〜図４）。この補強板２４は、アルミニウム合金、マグネシウム合金、炭素鋼等の金属によりクランク状に曲げて形成される。また、補強板２４の前部には、第１ビス２１を挿通可能な第１ビス用透孔２４ａが形成され、補強板２４の中央部及び後部には、位置決め孔２４ｂ，２４ｂがそれぞれ形成される。補強板２４をロアグリップ部１７に収容した状態で、第１ビス用透孔２４ａが第１ビス用通孔１７ｆに連通し、２つの位置決め孔２４ｂ，２４ｂがロアグリップ部１７から突設された２つの位置決めボス１７ｉ，１７ｉにそれぞれ嵌入される。また、上記２つの位置決めボス１７ｉ，１７ｉには、２つの第１位置決め穴１７ｊ，１７ｊがそれぞれ形成され、ロアグリップ部１７には補強板２４を囲むように複数の第２位置決め穴１７ｋが間隔をあけて形成される（図６）。アッパグリップ部１８には、このアッパグリップ部１８をロアグリップ部１７に載せたときに、上記第１及び第２位置決め穴１７ｊ，１７ｋに挿入可能な複数の位置決め突起１８ｈがそれぞれ突設される（図１及び図４）。また、ロアグリップ部１７に補強板２４を収容した状態で、アッパグリップ部１８をロアグリップ部１７に載せたときに、補強板２４がロアグリップ部１７のロアリブ１７ｄとアッパグリップ部１８のアッパリブ１８ｄにより挟持されるように構成される（図１及び図１０）。更に、連結具１６，１９のアッパ軸部１６ｂ，１９ｂの根元には、横断面が小判形状である軸側回り止め部１６ｄ，１９ｄが形成され、ロアグリップ部１７の筒穴１７ｅの口元には、軸側回り止め部１６ｄ，１９ｄに相応する形状の穴側回り止め部１７ｍが形成される（図１〜図４、図７及び図１０）。
【００４４】
シャフト１１のインナパイプ部１１ｂのアウタパイプ部１１ａからの突出長さは長さ調整機構２６により段階的に変更可能に構成される（図１１及び図１２）。この長さ調整機構２６は、シャフト１１のアウタパイプ部１１ａに長手方向に間隔をあけて形成された複数のシャフト用通孔２６ａと、インナパイプ部１１ｂに内蔵され複数のシャフト用通孔２６ａに選択的に係止可能な単一のピン２６ｂとを有する。また、シャフト１１のインナパイプ部１１ｂの上端近傍には、シャフト用通孔２６ａと同径である単一のシャフト用透孔（図示せず）が形成される。そして、インナパイプ部１１ｂにはＵ字状ばね等の弾性体（図示せず）が内蔵され、この弾性体により上記単一のピン２６ｂをシャフト用透孔及びシャフト用通孔２６ａに挿入する方向に付勢するようになっている。なお、石突き１３は、天然ゴム、合成ゴム、エラストマー樹脂、ポリ塩化ビニル（ＰＶＣ）樹脂等により、下部から上部に向って次第に小さくなる円錐台状に形成される。
【００４５】
このように構成された比較的大型の男性用のグリップ１２を、男性用の太いシャフト１１に組付ける手順を説明する。先ず、比較的大型のロアグリップ部１７の筒穴１７ｅを太いシャフト１１用の連結具１６のアッパ軸部１６ｂに嵌入し、ロアグリップ部１７の穴側回り止め部１７ｍをアッパ軸部１６ｂの軸側回り止め部１６ｄに嵌入する（図２及び図３）。これによりロアグリップ部１７の太いシャフト１１に対する回転が阻止される。このとき、軸側回り止め部１６ｄと穴側回り止め部１７ｍとの接触面積が比較的大きいので、グリップ１２のシャフト１１に対するガタツキを抑制できる。次いで、ロアグリップ部１７に補強板２４を収容した後、第１ビス２１を補強板２４の第１ビス用透孔２４ａ及びロアグリップ部１７の第１ビス用通孔１７ｆに通してアッパ軸部１６ｂの第１ねじ孔１６ｃに螺合する（図３）。これにより、ロアグリップ部１７が補強板２４とともに連結具１６に取付けられる。次に、アッパグリップ部１８をロアグリップ部１７の上面に載せる（図１及び図４）。このとき、アッパグリップ部１８がロアグリップ部１７の略椀状の水平部１７ａ上面に隙間なく収容されるとともに、アッパグリップ部１８の複数の位置決め突起１８ｈがロアグリップ部１７の第１及び第２位置決め穴１７ｊ，１７ｋにそれぞれ挿入され、補強板２４がロアグリップ部１７のロアリブ１７ｄとアッパグリップ部１８のアッパリブ１８ｄにより挟持される（図１）。これによりアッパグリップ部１８がロアグリップ部１７に対して位置決めされ、アッパグリップ部１８の下面外周縁がロアグリップ部１７の略椀状の水平部１７ａ上面の外周縁に一致する。更に、第２ビス２２を、ロアグリップ部１７の第２ビス用座ぐり穴１７ｈ及び第２ビス用通孔１７ｇに下方から挿通してアッパグリップ部１８の第２ねじ孔１８ｅに螺合した後、第２ビス用座ぐり穴１７ｈにゴム栓２３を圧入する（図１）。これにより、アッパグリップ部１８がロアグリップ部１７に取付けられる。このように比較的簡単な作業でグリップ１２をシャフト１１に取付けることができる。
【００４６】
このようにシャフト１１に組付けられたグリップ１２では、ロアグリップ部１７を補強板２４とともに連結具１６に取付けたので、ロアグリップ部１７をプラスチックにより形成しても、グリップ１２に必要な所定の強度を確保できる。また、第２ビス用座ぐり穴１７ｈにゴム栓２３が圧入されるので、杖修理の専門家でない杖１０の使用者によるグリップ１２の交換が困難になる。この結果、杖修理の専門家がグリップ１２を交換するので、グリップ１２交換後の杖１０が常に所定の強度等を満たすことができる。また、第２ビス２２の頭部２２ａが外部から視認できなくなるので、グリップ１２の見栄えを向上できる。また、ロアグリップ部１７とアッパグリップ部１８の色を変えることにより、グリップ１２のデザインのバリエーションを増やすことができる。更に、アッパグリップ部１８が、硬質プラスチック製の基部１８ａと、この基部１８ａの上面を被覆するエラストマー製の表層部１８ｂとからなるので、グリップ１２のうち使用者の掌に触れる部分だけ、柔らかくて滑り難い材料で作製することができる。この結果、グリップ１２の強度を低下させずに、使用者による杖１０の使い勝手を向上することができる。
【００４７】
次に、杖１０を使用してアッパグリップ部１８のみが損傷又は汚損した場合の修理方法を説明する。杖１０の使用者は、杖修理の専門家（例えば、杖の製造業者）に杖１０を送る。そして、杖１０を受取った杖修理の専門家は、先ず、第２ビス用座ぐり穴１７ｈからゴム栓２３を外し、プラスドライバ（工具）で第２ビス２２を緩めて外す。次に、損傷等したアッパグリップ部１８をロアグリップ部１７から取外す。更に、新品のアッパグリップ部１８を上記ロアグリップ部１７に載せて、第２ビス２２を、ロアグリップ部１７の第２ビス用座ぐり穴１７ｈ及び第２ビス用通孔１７ｇに下方から挿通してアッパグリップ部１８の第２ねじ孔１８ｅに螺合した後、第２ビス用座ぐり穴１７ｈにゴム栓２３を圧入する。このように損傷等した部品だけを交換すれば済むので、修理費用を低減できる。
【００４８】
次に、杖１０を使用してロアグリップ部１７のみが損傷又は汚損した場合の修理方法を説明する。杖１０の使用者は、杖修理の専門家（例えば、杖の製造業者）に杖１０を送る。そして、杖１０を受取った杖修理の専門家は、先ず、第２ビス用座ぐり穴１７ｈからゴム栓２３を外し、プラスドライバ（工具）で第２ビス２２を緩めて外した後、アッパグリップ部１８をロアグリップ部１７から取外す。次いで、プラスドライバ（工具）で第１ビス２２を緩めて外した後、補強板２４を取外して、損傷等したロアグリップ部１７を連結具１６のアッパ軸部１６ｂから引抜く。次に、新品のロアグリップ部１７を上記アッパ軸部１６ｂに嵌入し、ロアグリップ部１７の穴側回り止め部１７ｍをアッパ軸部１６ｂの軸側回り止め部１６ｄに嵌入した後に、ロアグリップ部１７に補強板２４を収容し、第１ビス２１を補強板２４の第１ビス用透孔２４ａ及びロアグリップ部１７の第１ビス用通孔１７ｆに通してアッパ軸部１６ｂの第１ねじ孔１６ｃに螺合する。更に、取外したアッパグリップ部１８を上記新品のロアグリップ部１７の上面に載せ、第２ビス２２を、ロアグリップ部１７の第２ビス用座ぐり穴１７ｈ及び第２ビス用通孔１７ｇに下方から挿通してアッパグリップ部１８の第２ねじ孔１８ｅに螺合した後、第２ビス用座ぐり穴１７ｈにゴム栓２３を圧入する。このように損傷等した部品だけを交換すれば済むので、修理費用を低減できる。
【００４９】
近年、女性用の細いシャフト１４に、握って安定感のある男性用のグリップ１２を取付けたいという要望が増えている。この場合、先ず、男性用の比較的大型のロアグリップ部１７の筒穴１７ｅを女性用の細いシャフト１４用の連結具１９のアッパ軸部１９ｂに嵌入し、ロアグリップ部１７の穴側回り止め部１７ｍをアッパ軸部１９ｂの軸側回り止め部１９ｄに嵌入する（図２）。これによりロアグリップ部１７の細いシャフト１４に対する回転が阻止される。以下、図示しないが、上記と同様に、ロアグリップ部１７に補強板２４を収容した後、第１ビス２１によりアッパ軸部１９ｂの第１ねじ孔１９ｃに螺合した後に、男性用の比較的大型のアッパグリップ部を上記ロアグリップ部１７の上面に載せ、第２ビスをアッパグリップ部の第２ねじ孔に螺合し、更に第２ビス用座ぐり穴にゴム栓を圧入する。これにより、女性用の細いシャフト１４に、握って安定感のある男性用のグリップ１２が取付けられる。このように、男性用の比較的大型のグリップ１２を、男性用の太いシャフト１１のみならず、女性用の細いシャフト１４にも取付けることができる。この結果、シャフト１１，１４とグリップ１２の組合せの自由度が増すので、デザインのバリエーションが広がる。
【００５０】
図１３及び図１４は本発明の第２の実施の形態を示す。図１３及び図１４において図１及び図４と同一符号は同一部品を示す。この実施の形態では、アッパグリップ部４８の内部に第２ビス５２の頭部５２ａが埋設されアッパグリップ部４８の下面から第２ビス５２の雄ねじ部５２ｂが突設される。上記第２ビス５２の頭部５２ａは、回り止め防止のために多角形（例えば六角形）に形成されることが好ましい。また、ロアグリップ部４７には、その上面から下方に延び第２ビス５２の雄ねじ部５２ｂを挿通可能な第２ビス用通孔４７ｇが形成される。また、ロアグリップ部４７の第２ビス用通孔４７ｇに挿通された第２ビス５２の雄ねじ部５２ｂにはナット５５が螺合される。上記ナット５５は、この実施の形態では、第２ねじ孔５５ｂが形成された筒部５５ａと、この筒部５５ａと一体的に形成され筒部５５ａより大径の頭部５５ｃとを有するジョイントコネクタ飾りナットである。このナット５５の頭部５５ｃには六角穴５５ｄが形成される。更に、ロアグリップ部４７には、第２ビス用通孔４７ｇと孔心が同一でありかつ上記ナット５５が没入可能なナット用座ぐり穴４７ｈが形成され、このナット用座ぐり穴４７ｈにはゴム栓５３が圧入される。上記以外は第１の実施の形態と同一に構成される。
【００５１】
このように構成された杖４０では、アッパグリップ部４８をロアグリップ部４７の上面に載せるときに、第２ビス５２を第２ビス用通孔４７ｇに上方から挿通し、第２ビス用通孔４７ｇから突出した第２ビス５２の雄ねじ部５２ｂにナット５５を螺合することにより、アッパグリップ部４８をロアグリップ部４７に取付けたので、第１ビス２１の頭部２１ａがロアグリップ部４７及びアッパグリップ部４８間に位置して外部から視認できず、グリップ４２を上方を見たときの見栄えを損なわない。また、第２ビス５２の雄ねじ部５２ｂに螺合されるナット５５を、ロアグリップ部４７に形成されたナット用座ぐり穴４７ｈに没入し、このナット用座ぐり穴４７ｈにゴム栓５３を圧入したので、杖修理の専門家でない杖４０の使用者によるグリップ４２の交換が困難になる。この結果、杖修理の専門家がグリップ４２を交換するので、グリップ交換後の杖４０が常に所定の強度等を満たすことができる。更に、ナット５５が外部から視認できなくなるので、グリップ４２の見栄えを向上できる。上記以外の動作は、第１の実施の形態の動作と略同様であるので、繰返しの説明を省略する。
【００５２】
図１５及び図１６は本発明の第３の実施の形態を示す。図１３及び図１４において図１及び図４と同一符号は同一部品を示す。この実施の形態では、アッパグリップ部７８にその下面から下方に係止爪７８ｅが突設され、ロアグリップ部７７に上記係止爪７７ｅが係止可能な被係止孔７７ｇが形成される。係止爪７８ｅは、アッパグリップ部７８の下面から下方に延びる腕部７８ｆと、この腕部７８ｆの下端に腕部７８ｆと一体的に設けられた爪本体７８ｇとからなる。また、被係止孔７７ｇは横断面四角形状に形成される。更に、ロアグリップ部７７には、被係止孔７７ｇと孔心が同一でありかつ上記係止爪７８ｅの爪本体７８ｇを収容可能な係止爪用座ぐり穴７７ｈが形成され、この係止爪用座ぐり穴７７ｈにはゴム栓８３が圧入される。なお、係止爪用座ぐり穴７７ｈは横断面四角形状に形成される。上記以外は第１の実施の形態と同一に構成される。
【００５３】
このように構成された杖７０では、アッパグリップ部７８をロアグリップ部７７の上面に載せて、係止爪７８ｅを被係止孔７７ｇに係止することにより、アッパグリップ部７８をロアグリップ部７７に取付けたので、第１ビス２１の頭部２１ａがロアグリップ部７７及びアッパグリップ部７８間に位置して外部から視認できず、グリップ７２を上方から見たときのグリップ７２の見栄えを損なわない。また、ロアグリップ部７７の被係止孔７７ｇに挿通される係止爪７８ｅを、ロアグリップ部７７に形成された係止爪用座ぐり穴７７ｈに収容し、この係止爪用座ぐり穴７７ｈにゴム栓８３を圧入したので、杖修理の専門家でない杖７０の使用者によるグリップ７２の交換が困難になる。この結果、杖修理の専門家がグリップ７２を交換するので、グリップ交換後の杖７０が常に所定の強度等を満たすことができる。また、係止爪７８ｅが外部から視認できなくなるので、グリップ７２の見栄えを向上できる。上記以外の動作は、第１の実施の形態の動作と略同様であるので、繰返しの説明を省略する。
【００５４】
なお、上記第１〜第３の実施の形態では、アウタパイプ部と、このアウタパイプ部に摺動可能に収容されるインナパイプ部とからなるシャフト、即ち２本のパイプ部からなる伸縮可能なシャフトに本発明を適用したが、単一のパイプ部からなる伸縮不能なシャフト、或いは３本以上のパイプ部からなる伸縮可能なシャフトにも本発明を適用できる。また、上記第１〜第３の実施の形態では、ロアグリップ部をプラスチックにより形成したが、ロアグリップ部をアルミニウム合金、マグネシウム合金、チタニウム合金等の金属により形成してもよい。この場合、金属製の補強板は不要になる。また、上記第１〜第３の実施の形態では、硬質プラスチック製の基部と、この基部の上面を被覆するエラストマー製の表層部とからなるアッパグリップ部を挙げたが、硬質プラスチック製のみにより形成されたアッパグリップ部でもよい。
【００５５】
また、上記第１の実施の形態では、アッパ軸部の軸径が互いに同一でありかつロア軸部の軸径が互いに異なる２種類の連結具を用意したが、アッパ軸部の軸径が互いに同一でありかつロア軸部の軸径が互いに異なる３種類又は４種類以上の連結具を用意してもよい。また、上記第１〜第３の実施の形態では、連結具のアッパ軸部の根元に横断面が小判形状又は多角形状である軸側回り止め部を形成し、ロアグリップ部の筒穴の口元に軸側回り止め部に相応する形状の穴側回り止め部を形成したが、アッパ軸部の根元に横断面が多角形状（四角形状、六角形状等）である軸側回り止め部を形成し、ロアグリップ部の口元に軸側回り止め部に相応する形状の穴側回り止め部を形成してもよく、或いはアッパ軸部の全長に横断面が小判形状又は多角形状である軸側回り止め部を形成し、ロアグリップ部の筒穴の全長に軸側回り止め部に相応する形状の穴側回り止め部を形成してもよい。
【００５６】
また、上記第１〜第３の実施の形態では、頭部に十字状穴が形成された第１ビスを用いたが、頭部に星状穴等の通常の工具が係合できない特殊な形状の穴が形成された第１ビスを用いてもよい。この場合、上記特殊な形状の穴に係合できる特殊な工具を有する杖修理の専門家のみがグリップを交換でき、杖修理の専門家でない杖の使用者によるグリップの交換がより困難になる。また、上記第２の実施の形態では、ナットとして頭部に六角穴が形成されたジョイントコネクタ飾りナットを挙げたが、ロアグリップ部にスペースを確保できれば、ナットとして六角ナット又はその他のナットを用いてもよい。また、上記第１の実施の形態では、頭部に十字状穴が形成された第２ビスを挙げ、上記第２の実施の形態では、頭部に六角穴が形成されたジョイントコネクタ飾りナットを挙げたが、頭部に星状穴等の通常の工具が係合できない特殊な形状の穴が形成された第２ビス又はジョイントコネクタ飾りナットを用いてもよい。この場合、上記特殊な形状の穴に係合できる特殊な工具を有する杖修理の専門家のみがグリップを交換でき、杖修理の専門家でない杖の使用者によるグリップの交換がより困難になる。
【００５７】
更に、上記第１の実施の形態では、第２ビスの頭部がロアグリップ部の第２ビス用座ぐり穴に没入した状態で、第２ビス用座ぐり穴にゴム栓を圧入し、上記第２の実施の形態では、ナットがロアグリップ部のナット用座ぐり穴に没入した状態で、ナット用座ぐり穴にゴム栓を圧入し、上記第３の実施の形態では、係止爪がロアグリップ部の係止爪用座ぐり穴に没入した状態で、係止爪用座ぐり穴にゴム栓を圧入したが、ゴム栓が圧入された第２ビス用座ぐり穴、ナット用座ぐり穴又は係止爪用座ぐり穴を粘着シートにより封止してもよい。この場合、第２ビス用座ぐり穴、ナット用座ぐり穴又は係止爪用座ぐり穴が杖の使用者に分かり難くなるので、杖修理の専門家でない杖の使用者によるグリップの交換が更に困難になるとともに、グリップの見栄えを更に向上できるという利点がある。
【符号の説明】
【００５８】
１０，４０，７０  杖
１１，１４  シャフト
１２，４２，７２  グリップ
１３  石突き
１６，１９  連結具
１６ａ，１９ａ  ロア軸部
１６ｂ，１９ｂ  アッパ軸部
１６ｃ，１９ｃ  第１ねじ孔
１６ｄ，１９ｄ  軸側回り止め部
１７，４７，７７  ロアグリップ部
１７ｅ  筒穴
１７ｆ  第１ビス用通孔
１７ｇ，４７ｇ  第２ビス用通孔
１７ｈ  第２ビス用座ぐり穴
１７ｍ  穴側回り止め部
１８，４８，７８  アッパグリップ部
１８ａ  基部
１８ｂ  表層部
１８ｅ  第２ねじ孔
２１  第１ビス
２２，５２  第２ビス
２２ａ，５２ａ  第２ビスの頭部
２３，５３，８３  ゴム栓
２４  補強板
２４ａ  第１ビス用透孔
４７ｈ  ナット用座ぐり穴
５２ｂ  第２ビスの雄ねじ部
５５  ジョイントコネクタ飾りナット（ナット）
７７ｇ  被係止孔
７７ｈ  係止爪用座ぐり穴
７８ｅ  係止爪
【図１】
2020195572.tif 000003
【図２】
2020195572.tif 000004
【図３】
2020195572.tif 000005
【図４】
2020195572.tif 000006
【図５】
2020195572.tif 000007
【図６】
2020195572.tif 000008
【図７】
2020195572.tif 000009
【図８】
2020195572.tif 000010
【図９】
2020195572.tif 000011
【図１０】
2020195572.tif 000012
【図１１】
2020195572.tif 000013
【図１２】
2020195572.tif 000014
【図１３】
2020195572.tif 000015
【図１４】
2020195572.tif 000016
【図１５】
2020195572.tif 000017
【図１６】
2020195572.tif 000018